(57)【要約】  本発明の多色印刷流体の探知方法は、明細書及び特許請求の範囲に記載されている。多色印刷流体は、一液型湿し水と、二液型湿し水と、巻取紙剥離剤と、からなる群から選択される。用いられるトレーサーは、対象とする各多色印刷流体において、蛍光分析により探知可能である。【特許請求の範囲】
【請求項１】
（１）一又は二以上の多色印刷流体が用いられる印画工程であって、前記多色印刷流体が、湿し水及び巻取紙剥離剤からなる群から選択される、印画工程を提供する工程と、
（２）対象とする各多色印刷流体に対する蛍光分析によって探知可能であるトレーサー物質を提供する工程であって、対象とする各多色印刷流体へ添加される各トレーサー物質は探知可能な蛍光信号を有している工程と、
（３）対象とする多色印刷流体内で用いられる各トレーサー物質の蛍光信号を探知可能な、一又は二以上の蛍光光度計を提供する工程と、
（４）前記一又は二以上の蛍光光度計を、紙面上の多色印刷流体を測定するための場所が選択できない場合以外は、対象とする多色印刷流体の有無の探知が要求される印画工程内のいずれかに配置する工程と、
（５）印画工程内における一又は二以上の場所で、前記トレーサー物質の蛍光信号を探知し、測定するために、前記一又は二以上の蛍光光度計を使用する工程と、
（６）印画工程内の選択された場所において、どれだけの量の各多色印刷流体が存在するかを測定するために、探知され、測定された前記トレーサー物質の蛍光信号を使用する工程と、
（７）随意的に、存在する多色印刷流体の量が対象とする場所で最適化されるように、前記印画工程の運転パラメータを調整する工程と、
を具備する多色印刷流体の探知方法。
【請求項２】
前記多色印刷流体は湿し水である、請求項１に記載の方法。
【請求項３】
前記多色印刷流体は一液型湿し水である、請求項１に記載の方法。
【請求項４】
前記多色印刷流体は二液型湿し水である、請求項１に記載の方法。
【請求項５】
前記多色印刷流体は巻取紙剥離剤である、請求項１に記載の方法。
【請求項６】
前記トレーサーが、
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
アントラ［９，１，２−ｃｄｅ］ベンゾ［ｒｓｔ］ペンタフェン−５，１０−ジオール，１６，１７−ジメトキシ−，ビス（硫酸水素），二ナトリウム塩、ａｋａ  Ａｎｔｈｒａｓｏｌ  Ｇｒｅｅｎ  ＩＢＡ（ＣＡＳ登録番号２５３８−８４−３）、ａｋａ  可溶性Ｖａｔ  Ｄｙｅ）、
バソフェナントロリンジスルホン酸二ナトリウム塩（ＣＡＳ登録番号５２７４６−４９−３）、
１Ｈ−ベンズ［ｄｅ］イソキノリン−５−スルホン酸，６−アミノ−２，３−ジヒドロ−２−（４−メチルフェニル）−１，３−ジオキソ−，一ナトリウム塩、ａｋａ  ブリリアントアシッドイエロー  ８Ｇ（ＣＡＳ登録番号２３９１−３０−２）、ａｋａ  Ｌｉｓｓａｍｉｎｅ  Ｙｅｌｌｏｗ  ＦＦ、アシッドイエロー  ７、
ベンゾ［ａ］フェノキサジン−７−イウム，５，９−ジアミノ−，アセテート、ａｋａ  クレジルバイオレットアセテート（ＣＡＳ登録番号１０５１０−５４−０）、
１−エチルキナルジニウムヨージド（ＣＡＳ登録番号６０６−５３−３）、
Ｋｅｙｆｌｕｏｒ  Ｗｈｉｔｅ  ＳＴ（ＣＡＳ登録番号４１９３−５５−９）、ａｋａ  Ｆｌｕ．Ｂｒｉｇｈｔ  ２８、
ベンゼンスルホン酸，２，２’−（１，２−エテンジイル）ビス［５−［［４−［ビス（２−ヒドロキシエチル）アミノ］−６−［（４−スルホフェニル）アミノ］−１，３，５―トリアジン−２−イル］アミノ］−，四ナトリウム塩、ａｋａ  Ｋｅｙｆｌｕｏｒ  Ｗｈｉｔｅ  ＣＮ（ＣＡＳ登録番号１６４７０−２４−９）、
９，９’−ビアクリジニウム，１０，１０’−ジメチル−，ジニトラート、ａｋａ  Ｌｕｃｉｇｅｎｉｎ（ＣＡＳ登録番号２３１５−９７−１、ａｋａ  硝酸ビス−Ｎ−メチルアクリジニウム）
１−デオキシ−１−（３，４−ジヒドロ−７，８−ジメチル−２，４−ジオキソベンゾ［ｇ］プテリジン−１０（２Ｈ）−イル）−Ｄ−ｒｉｂｉｔｏｌ、ａｋａ  リボフラビン又はビタミン  Ｂ２（ＣＡＳ登録番号８３−８８−５）、
２−アミノ−１−ナフタレンスルホン酸（ＣＡＳ登録番号８１−１６−３）、
５−アミノ−２−ナフタレンスルホン酸（ＣＡＳ登録番号１１９−７９−９）、
７−アミノ−１，３−ナフタレンスルホン酸，カリウム塩（ＣＡＳ登録番号７９８７３−３５−１）、
５−ジメチルアミノ−１−ナフタレンスルホン酸（ＣＡＳ登録番号４２７２−７７−９）、
１−アミノ−４−ナフタレンスルホン酸（ＣＡＳ登録番号８４−８６−６）、
１−アミノ−７−ナフタレンスルホン酸（ＣＡＳ登録番号１１９−２８−８）、
ベンゼンスルホン酸，２，２’−（１，２−エテンジイル）ビス［５−（４−フェニル−２Ｈ−１，２，３−トリアゾール−２−イル）−，二カリウム塩、ａｋａ  Ｐｈｏｒｗｉｔｅ  ＢＨＣ  ７６６（ＣＡＳ登録番号５２２３７−０３−３）、
ベンゼンスルホン酸，５−（２Ｈ−ナフト［１，２−ｄ］トリアゾール−２−イル）−２−（２−フェニルエテニル）−，ナトリウム塩、ａｋａ  Ｐｙｌａｋｌｏｒ  Ｗｈｉｔｅ  Ｓ−１５Ａ（ＣＡＳ登録番号６４１６−６８−８）、
１，３，６，８−ピレンテトラスルホン酸，四ナトリウム塩（ＣＡＳ登録番号５９５７２−１０−０）、
キノリン（ＣＡＳ登録番号９１−２２−５）、
キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）、
フェナジニウム，３，７−ジアミノ−２，８−ジメチル−５−フェニル−，塩化物、ａｋａ  Ｓａｆｒａｎｉｎｅ  Ｏ（ＣＡＳ登録番号４７７−７３−６）、
ベンゼンスルホン酸，２，２’−（１，２−エテンジイル）ビス［５−［［４−［（２−ヒドロキシプロピル）アミノ］−６−（フェニルアミノ）−１，３，５−トリアジン−２−イル］アミノ］−，二ナトリウム塩、ａｋａ  Ｓａｎｄｏｚ  ＴＨ−４０（ＣＡＳ登録番号３２６９４−９５−４）、
キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）、
ベンゼンスルホン酸，２，２’−（１，２−エテンジイル）ビス［５−［［４−［（アミノメチル）（２−ヒドロキシエチル）アミノ］−６−（フェニルアミノ）−１，３，５−トリアジン−２−イル］アミノ］−，二ナトリウム塩、ａｋａ  Ｔｉｎｏｐａｌ  ５ＢＭ−ＧＸ（ＣＡＳ登録番号１６９７６２−２８−１）、
ベンゼンスルホン酸，２，２’−（［１，１’−ビフェニル］−４，４’−ジイルジ−２，１−エテンジイル）ビス−，二ナトリウム塩、ａｋａ  Ｔｉｎｏｐａｌ  ＣＢＳ−Ｘ（ＣＡＳ登録番号２７３４４−４１−８）、及び
７−ベンゾチアゾールスルホン酸，２，２’−（１−トリアゼン−１，３−ジイルジ−４，１−フェニレン）ビス［６−メチル−，二ナトリウム塩、ａｋａ  チタンイエロー（ＣＡＳ登録番号１８２９−００−１、ａｋａ  チアゾールイエロー  Ｇ）、
からなる群から選択される、請求項３に記載の方法。
【請求項７】
前記トレーサーが、
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
アントラ［９，１，２―ｃｄｅ］ベンゾ［ｒｓｔ］ペンタフェン−５，１０−ジオール，１６，１７−ジメトキシ−，ビス（硫酸水素），二ナトリウム塩、ａｋａ  Ａｎｔｈｒａｓｏｌ  Ｇｒｅｅｎ  ＩＢＡ（ＣＡＳ登録番号２５３８−８４−３、ａｋａ  可溶性Ｖａｔ  Ｄｙｅ）、
バソフェナントロリンジスルホン酸二ナトリウム塩（ＣＡＳ登録番号５２７４６−４９−３）、
Ｋｅｙｆｌｕｏｒ  Ｗｈｉｔｅ  ＳＴ（ＣＡＳ登録番号４１９３−５５−９、ａｋａ  Ｆｌｕ．Ｂｒｉｇｈｔ  ２８）、
ベンゼンスルホン酸，２，２’−（１，２−エテンジイル）ビス［５−［［４−［ビス（２−ヒドロキシエチル）アミノ］−６−［（４−スルホフェニル）アミノ］−１，３，５―トリアジン−２−イル］アミノ］−，四ナトリウム塩、ａｋａ  Ｋｅｙｆｌｕｏｒ  Ｗｈｉｔｅ  ＣＮ（ＣＡＳ登録番号１６４７０−２４−９）、
１−デオキシ−１−（３，４−ジヒドロ−７，８−ジメチル−２，４−ジオキソベンゾ［ｇ］プテリジン−１０（２Ｈ）−イル）−Ｄ−ｒｉｂｉｔｏｌ、ａｋａ  リボフラビン又はビタミン  Ｂ２（ＣＡＳ登録番号８３−８８−５）、
ベンゼンスルホン酸，２，２’−（１，２−エテンジイル）ビス［５−（４−フェニル−２Ｈ−１，２，３−トリアゾール−２−イル）−，二カリウム塩、ａｋａ  Ｐｈｏｒｗｉｔｅ  ＢＨＣ  ７６６（ＣＡＳ登録番号５２２３７−０３−３）、
ベンゼンスルホン酸，５−（２Ｈ−ナフト［１，２−ｄ］トリアゾール−２−イル）−２−（２−フェニルエテニル）−，ナトリウム塩、ａｋａ  Ｐｙｌａｋｌｏｒ  Ｗｈｉｔｅ  Ｓ−１５Ａ（ＣＡＳ登録番号６４１６−６８−８）、
１，３，６，８−ピレンテトラスルホン酸，四ナトリウム塩（ＣＡＳ登録番号５９５７２−１０−０）、
キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）、
フェナジニウム，３，７−ジアミノ−２，８−ジメチル−５−フェニル−，塩化物、ａｋａ  Ｓａｆｒａｎｉｎｅ  Ｏ（ＣＡＳ登録番号４７７−７３−６）、
ベンゼンスルホン酸，２，２’−（１，２−エテンジイル）ビス［５−［［４−［（２−ヒドロキシプロピル）アミノ］−６−（フェニルアミノ）−１，３，５−トリアジン−２−イル］アミノ］−，二ナトリウム塩、ａｋａ  Ｓａｎｄｏｚ  ＴＨ−４０（ＣＡＳ登録番号３２６９４−９５−４）、
キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）、
ベンゼンスルホン酸，２，２’−（１，２−エテンジイル）ビス［５−［［４−［（アミノメチル）（２−ヒドロキシエチル）アミノ］−６−（フェニルアミノ）−１，３，５−トリアジン−２−イル］アミノ］−，二ナトリウム塩、ａｋａ  Ｔｉｎｏｐａｌ  ５ＢＭ−ＧＸ（ＣＡＳ登録番号１６９７６２−２８−１）、及び
ベンゼンスルホン酸，２，２’−（［１，１’−ビフェニル］−４，４’−ジイルジ−２，１−エテンジイル）ビス−，二ナトリウム塩、ａｋａ  Ｔｉｎｏｐａｌ  ＣＢＳ−Ｘ（ＣＡＳ登録番号２７３４４−４１−８）、
からなる群から選択される、請求項６に記載の方法。
【請求項８】
前記トレーサーが、
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、及び
１，３，６，８−ピレンテトラスルホン酸，四ナトリウム塩（ＣＡＳ登録番号５９５７２−１０−０）、
からなる群から選択される、請求項７に記載の方法。
【請求項９】
一液型湿し水及び巻取紙剥離剤の両方が探知され、同一のトレーサーが両方の印刷流体に用いられ、そのトレーサーは、アントラセンジスルホン酸，二ナトリウム塩の１，５−及び１，８−異性体である、請求項１に記載の方法。
【請求項１０】
一液型湿し水及び巻取紙剥離剤の両方が探知され、異なるトレーサーがそれぞれの印刷流体に用いられる、請求項１に記載の方法。
【請求項１１】
二液型湿し水及び巻取紙剥離剤が探知され、一方のトレーサーは二液型湿し水の第１部分で用いられ、他方のトレーサーは二液型湿し水の第２部分で用いられ、第三の異なるトレーサーは巻取紙剥離剤中で用いられる、請求項１に記載の方法。
【請求項１２】
前記多色印刷流体は巻取紙剥離剤である、請求項１に記載の方法。
【請求項１３】
前記トレーサーは、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、
ベンゼンスルホン酸，２，２’−（１，２−エテンジイル）ビス［５−［［４−ビス（２−ヒドロキシエチル）アミノ］−６−［（４−スルホフェニル）アミノ］−１，３，５−トリアジン−２−イル］アミノ］−，四ナトリウム塩、ａｋａ  Ｓａｎｄｏｚ  ＣＤ（ＣＡＳ登録番号１６４７０−２４−９）、ａｋａ  Ｆｌｕ．Ｂｒｉｇｈｔ．２２０、と、
ベンゼンスルホン酸，２，２’−（１，２−エテンジイル）ビス［５−［［４−ビス（２−ヒドロキシプロピル）アミノ］−６−（フェニルアミノ）−１，３，５−トリアジン−２−イル］アミノ］−，二ナトリウム塩、（ＣＡＳ登録番号３２６９４−９５−４）、ａｋａ  Ｓａｎｄｏｚ  ＴＨ−４０、と、
ベンゼンスルホン酸，２，２’−（１，２−エテンジイル）ビス［５−［［４−（アミノメチル）（２−ヒドロキシエチル）アミノ］−６−（フェニルアミノ）−１，３，５−トリアジン−２−イル］アミノ］−，二ナトリウム塩、（ＣＡＳ登録番号１６９７６２−２８−１）、ａｋａ  Ｔｉｎｏｐａｌ  ５ＢＭ−ＧＸ、と、
を含みつつ、これらに限定されない硫酸化アミノ−スチルベン蛍光増白剤及びその塩、
４’，４’−ビ［スチルベン−２，２’’’−ジスルホン酸］二ナトリウム塩（ＣＡＳ登録番号２７３４４−４１−８）、ａｋａ  Ｔｉｎｏｐａｌ  ＣＢＳ、
を含みつつ、これらに限定されない硫酸化ビ−スチルベン蛍光増白剤及びその塩、
４−メチル−７−（ジエチルアミノ）−４−メチルクマリン（ＣＡＳ登録番号９１−４４−１）、ａｋａ  蛍光増白剤  ５２、を含みつつ、これらに限定されないアルキルアミノ−クマリン蛍光増白剤及びその塩、
からなる群から選択される、請求項１２に記載の方法。
【請求項１４】
前記多色印刷流体が二液型湿し水であって、
一のトレーサーが二液型湿し水の第一成分を探知するために用いられ、異なる蛍光信号が付されている一のトレーサーが二液型湿し水の第二成分を探知するために用いられる、請求項１に記載の方法。
【請求項１５】
トレーサーが以下のようになっており、
【表１】
2007519545.tif 000003
「ＡＤＳＡ」は、１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、からなる群から選択される成分であり、
「ＰＴＳＡ」は、１，３，６，８−ピレンテトラスルホン酸，四ナトリウム塩（ＣＡＳ登録番号５９５７２−１０−０）を参照し、
「ＮＤＳＡ」は、１，５−ナフタレンジスルホン酸，二ナトリウム塩（水和物）（ＣＡＳ登録番号１６５５−２９−４）、ａｋａ  １，５−ＮＤＳＡ水和物、を参照し、
「Ｔｉｎｏｐａｌ  ＣＢＳ−Ｘ」は、ベンゼンスルホン酸，２，２’−（［１，１’−ビフェニル］−４，４’−ジイルジ−２，１−エテンジイル）ビス−，二ナトリウム塩  ａｋａ  Ｔｉｎｏｐａｌ  ＣＢＳ−Ｘ（ＣＡＳ登録番号２７３４４−４１−８）を参照し、
「ローダミン  ＷＴ」は、キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）を参照し、
「スルホローダミン  Ｂ」は、  キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）を参照する、
請求項１４に記載の方法。
【発明の詳細な説明】
【技術分野】
【０００１】
本発明は、印刷流体に関する。特に、本発明は、異なる種類の印画工程においてさまざまな方法で使用される湿し水中及び巻取紙剥離剤中での蛍光トレーサーの使用に関する。
【背景技術】
【０００２】
印刷流体は、湿し水及び巻取紙剥離剤を含んでいる。
湿し水は、オフセット印刷機で、オフセット版の非画像部へインクが付着するのを防ぐために使用されている。湿し水には、
（１）インクを水膜でバックグラウンドに触れさせないこと、
（２）バックグラウンドの親水性を維持すること、
（３）印刷開始時に素早くバックグラウンドのインクを落とすこと、
（４）印刷版の表面への水の高速拡散を促進すること、
（５）水流が水付けローラーを介して均一になるようにすること、
（６）印刷版とブランケットを潤滑すること、そして
（７）インクと水の乳化を制御すること、
という７つの機能がある。
【０００３】
湿し水は、一般的に、以下の５つの主要な要素を有している。
（ａ）湿し水の最大の割合を占める水。
（ｂ）ｐＨ値を減少させ、バックグラウンド領域の水に対する感度を維持するだけでなく、版画像部のインクに対する感度を維持するための酸。
（ｃ）水の表面張力を緩和し、非印刷部（非画像部）の湿潤特性の維持を許容する湿潤剤又は界面活性剤。版をきれいに保つために必要な水の量を減らすことによって、湿潤剤もまた印刷に必要なインクの量を減らす。イソプロピルアルコールは、添加される湿潤剤のうち、もっとも一般的なものの一つである。
（ｄ）アルミニウム版上の酸の腐食作用を最小化する版調整剤及びその他の添加剤。これらは、版の寿命を引き延ばし、全般的な印刷品質を向上させる役割を果たす。
（ｅ）消泡剤及び抗菌剤はほとんどの湿し水に含まれている。
【０００４】
湿し水は、また、溶液を酸性に保持する緩衝化合物と、いかなる堆積の機会をも排除する非堆積剤（ＮＰＡ）と、ブランケットの放出特性を高め、紙むけ傾向による堆積を最小限度にするシリコン材と、アラビアゴムとを含んでいてもよい。ゴムの機能は、印刷版の非画像部に接着して、非画像部をインクの受容から保護することである。ゴムは、また、印刷停止時の印刷版を、湿気と薬品による腐食（化学攻撃）から保護する機能も有している。今日、ＣＭＣ（カルボキシメチルセルロース）等のようないくつかのゴム代用品が使用されている。しかしながら、印刷版の非画像部をきれいに保つために、アラビアゴムは未だにもっとも効果的な物質である。
【０００５】
巻取紙剥離剤は、ロールの表面張力を緩和することによる、シート剥離を提供する。巻取紙剥離剤は、
（ａ）巻取紙の再湿化と、
（ｂ）巻取紙の潤滑と、
（ｃ）巻取紙破損の低下と、
（ｄ）マーキングの防止と、
（ｅ）印刷画像の保護と、
（ｆ）静的還元と、
（ｇ）所望の滑りと、
を提供する、化学的にシリコン系（界面活性剤）混合物である。現在の印刷の慣例では、巻取紙剥離剤中の第一の構成要素は、合成シリコン、天然シリコン、そして天然シリコンと合成シリコンの混合物から構成される群の中から選択されるシリコン材である。
【０００６】
印刷流体の使用及び応用の監視と制御は、米国特許５，８２６，５０７で、発明の名称が「オフセット印刷における湿し水量の測定方法」に記載の技術を用いて、既になされているといえる。この特許文献は、オフセット印刷装置に用いられる湿し水の量の測定方法についての情報を包含しており、探知可能な物質を湿し水に添加し、インクローラー及び／又は印刷された紙の画像部及び非画像部などの目標物における探知可能な物質の量を探知し、湿し水の量に関連するこの探知可能な物質の量はオフセット印刷工程で用いられる湿し水の量に関する。低濃度の湿し水の化学組成又は希釈タンク内に存在する湿し水の量の両方は、本発明によって測定ないし制御がされない。
【０００７】
米国特許５，８２６，５０７において、非蛍光トレーサー物質、塩化リチウムの試験は、オフラインで断続的に行われ、非常に長いマニュアルのサンプルの調整手順を要する。それゆえに、この試験は、印画工程の即時制御には、即刻応答でできず、又は用いることができない。
【０００８】
英国特許出願ＧＢ２２５４９１７には、オフセット印刷機の印刷用紙の表面における水付け媒体流体膜の厚さの測定装置が記載されている。この印刷機では、ある濃度の蛍光媒体が流体膜に添加され、印刷用紙の表面で蛍光を発するためのＵＶレーザの使用が誘発される。蛍光放射線は探知され、その強度は流体膜の厚さを測定するために用いられる。励起放射線は変調されてもよい。
【０００９】
英国特許出願ＧＢ２２５４９１７におけるシステムは、印刷機の機械的調整を制御するために用いられ、湿し水の化学組成には用いられない。湿し水への蛍光プローブの添加は、膜厚の測定を可能とするためだけに制御され、湿し水の化学組成を制御するための手段として用いられない。湿し水組成の自動制御は、蛍光プローブについてのみ適用する。蛍光プローブは他の化学物質とともに添加されず、システムへの他の化学物質の制御も行わない。
【００１０】
要求量の印刷流体が印刷工程の一部である所定位置に存在しているかどうかを測定するためには、付加的な方法を有することが好ましい。
【発明の開示】
【課題を解決するための手段】
【００１１】
発明の要旨
本発明の第一の態様は、
（１）一又は二以上の多色印刷流体が用いられる印画工程であって、前記多色印刷流体が、湿し水及び巻取紙剥離剤からなる群から選択される、印画工程を提供する工程と、
（２）対象とする各多色印刷流体に対する蛍光分析によって探知可能であるトレーサー物質を提供する工程であって、対象とする各多色印刷流体へ添加される各トレーサー物質は探知可能な蛍光信号を有している工程と、
（３）対象とする多色印刷流体内で用いられる各トレーサー物質の蛍光信号を探知可能な、一又は二以上の蛍光光度計を提供する工程と、
（４）前記一又は二以上の蛍光光度計を、紙面上の多色印刷流体を測定するための場所が選択できない場合以外は、対象とする多色印刷流体の有無の探知が要求される印画工程内のいずれかに配置する工程と、
（５）印画工程内における一又は二以上の場所で、前記トレーサー物質の蛍光信号を探知し、測定するために、前記一又は二以上の蛍光光度計を使用する工程と、
（６）印画工程内の選択された場所において、どれだけの量の各多色印刷流体が存在するかを測定するために、探知され、測定された前記トレーサー物質の蛍光信号を使用する工程と、
（７）随意的に、存在する多色印刷流体の量が対象とする場所で最適化されるように、前記印画工程の運転パラメータを調整する工程と、
を具備する多色印刷流体の探知方法である。
【発明を実施するための最良の形態】
【００１２】
本特許出願を通じて、以下の語彙は示された定義を有する。
「ａｋａ」は、「同様に、〜として知られている」を意味する。
「Ａｎｃｈｏｒ」は、Ａｎｃｈｏｒ，５０  Ｉｎｄｕｓｔｒｉａｌ  Ｌｏｏｐ，Ｎｏｒｔｈ，Ｏｒａｎｇｅ  Ｐａｒｋ．ＦＬ，８００−３５４−２３００を参照する。
「探知可能な」は、バックグラウンド材の蛍光信号よりも少なくとも５倍大きい蛍光信号の存在を意味する。
「ＣＡＳ登録番号」は、Ｃｈｅｍｉｃａｌ  Ａｂｓｔｒａｃｔｓ  Ｓｅｒｖｉｃｅｓの登録番号を参照する。
「Ｃ＆Ｗ」は、Ｃ＆Ｗ  Ｕｎｌｉｍｉｔｅｄ，２１７−Ａ  Ｗａｓｈｉｎｇｔｏｎ  Ａｖｅｎｕｅ，Ｃａｒｌｓｔａｄｔ，ＮＪ  ２０１−９３３−４３４３を参照する。
「ＩＣＭ」は、ＩＣＭ  Ｐｒｏｄｕｃｔｓ，Ｉｎｃ．，８０５  Ｗｏｌｆｅ  Ａｖｅｎｕｅ，Ｃａｓｓｏｐｏｌｉｓ，ＭＮ  ４９０３１，６１６−４４５−０８４７を参照する。
「Ｎａｌｃｏ」は、Ｎａｌｓｏ  Ｃｏｍｐａｎｙ，１６０１  Ｗ．Ｄｉｅｈｌ  Ｒｏａｄ，Ｎａｐｅｒｖｉｌｌｅ  ＩＬ  ６０５６３，電話番号（６３０）３０５−１０００を参照する。
「ＰＦＳＦ」は、購入した湿し水の式を参照する。
「ＰＷＲＡ」は、購入した巻取紙剥離剤を参照する。
「ＲＢＰ」は、Ｃｈｅｍｉｃａｌ  Ｔｅｃｈｎｏｌｏｇｙ，１５０  Ｓｏｕｔｈ  １１８ｔｈ  Ｓｔｒｅｅｔ，Ｍｉｌｗａｕｋｅｅ，ＷＩ，５３２１４，電話番号４１４−２５８−７９０８を参照する。そして、
「Ｒｙｃｏｌｉｎｅ」は、Ｒｙｃｏｌｉｎｅ  Ｐｒｏｄｕｃｔｓ，Ｉｎｃ．，５５４０  Ｎ．Ｎｏｒｔｈｗｅｓｔ  Ｈｉｇｈｗａｙ，Ｃｈｉｃａｇｏ，ＩＬ，６０６３０，８００−６２１−１００３を参照する。
【００１３】
本発明の第一の態様は、
（１）一又は二以上の多色印刷流体が用いられる印画工程であって、前記多色印刷流体が、湿し水及び巻取紙剥離剤からなる群から選択される、印画工程を提供する工程と、
（２）対象とする各多色印刷流体に対する蛍光分析によって探知可能であるトレーサー物質を提供する工程であって、対象とする各多色印刷流体へ添加される各トレーサー物質は探知可能な蛍光信号を有している工程と、
（３）対象とする多色印刷流体内で用いられる各トレーサー物質の蛍光信号を探知可能な、一又は二以上の蛍光光度計を提供する工程と、
（４）前記一又は二以上の蛍光光度計を、紙面上の多色印刷流体を測定するための場所が選択できない場合以外は、対象とする多色印刷流体の有無の探知が要求される印画工程内のいずれかに配置する工程と、
（５）印画工程内における一又は二以上の場所で、前記トレーサー物質の蛍光信号を探知し、測定するために、前記一又は二以上の蛍光光度計を使用する工程と、
（６）印画工程内の選択された場所において、どれだけの量の各多色印刷流体が存在するかを測定するために、探知され、測定された前記トレーサー物質の蛍光信号を使用する工程と、
（７）随意的に、存在する多色印刷流体の量が対象とする場所で最適化されるように、前記印画工程の運転パラメータを調整する工程と、
を具備する多色印刷流体の探知方法である。
【００１４】
本発明の方法を用いて探知できる多色印刷流体は、湿し水及び巻取紙剥離剤からなる群から選択される。
【００１５】
湿し水は、印刷ジョブの特定の要求に見合うように調整されている。それによって、すべての成分が、異なる濃度であってもよいし、時として、湿し水中に存在することが要求されないこともある。本発明の方法において有用な湿し水の群は、通常、一液型湿し水と二液型湿し水とに分けられる。一液型湿し水は、一般的に以下の成分を含有している。すなわち、水、酸、湿潤剤（界面活性剤及び／又はイソプロピルアルコール）、緩衝剤、版調整剤、及びアラビアゴム又はカルボキシメチルセルロースである。一液型湿し水は、二液型湿し水とは異なっている。それは、一液型湿し水は、上記すべての成分を一液中に含有しているが、一方、二液型湿し水は、成分を酸溶液と湿潤剤溶液とに分割しているからである。
【００１６】
本発明の方法に用いるのに適当で、かつ、商業的に入手可能な一液型湿し水は、以下のものを含む。 
弱酸性湿し水  ９９０  ＮＲＯ、Ｃ＆Ｗ  Ｕｎｌｉｍｉｔｅｄ社製、
ＢＰＣ  ＥＴＣＨ  ＨＷ  ２６４７２４−３３０Ｐ、Ｒｙｃｏｌｉｎｅ社製、
２９５３  Ｑｕａｄ  Ｓｐｅｃｉａｌ  Ｅｔｃｈ  Ｓｉｎｇｌｅ−Ｐａｒｔ  Ａｃｉｄ  Ｆｏｕｎｔａｉｎ  Ｓｏｌｕｔｉｏｎ、Ａｎｃｈｏｒ社製、
２１５０  エメラルド  プレミアム  ＷＣＮＰ  高速巻取紙酸湿し水、Ａｎｃｈｏｒ社製、
２０２３１  エメラルド  プレミアム  ＫＤＭＶ−Ｖ、Ａｎｃｈｏｒ社製、及び
２０１８０  エメラルド  プレミアム  ＱＲＫＷ、Ａｎｃｈｏｒ社製、である。
【００１７】
二液型湿し水は、一般的に以下の成分を含有している。すなわち、水、酸、湿潤剤（界面活性剤及び／又はイソプロピルアルコール）、緩衝剤、版調整剤、及びアラビアゴム又はカルボキシメチルセルロースである。二液型湿し水の第一成分は、水と、酸と、緩衝剤とから構成される。二液型湿し水の第二成分は、水と、湿潤剤と、他の調整剤とから構成される。二液型湿し水は、一液型湿し水とは異なっている。それは、二液型湿し水は、成分を酸溶液と湿潤剤溶液とに分割しているからである。
【００１８】
適当で、かつ、商業的に入手可能な二液型湿し水は、ＲＢＰ社製Ｃｏｎｃｅｐｔ２１系を含んでおり、二液型湿し水とともに、以下で説明する。
Ｃｏｎｃｅｐｔ２１  ＡＤＭ２．０は、酸性脱感作修飾剤である。これは、着色、調色、走査のような、版感度の問題を処理する。これは、湿し水の酸源となる。本発明の目的のため、この物質は二液型湿し水の第一成分とされる。
【００１９】
Ｃｏｎｃｅｐｔ２１  ＳＴＭ２．０は、表面張力修飾剤であり、その系の湿潤剤及び調整剤を含んでいる。本発明の目的のため、この物質は二液型湿し水の第二成分とされる。
【００２０】
Ｃｏｎｃｅｐｔ２１系の第二成分又は他の商業的に入手可能な二液湿し水は、版感度及び湿し水の表面張力特性の独立した調整を許容するように、また、印刷装置が、紙、インク、版、湿し水装置及びその他の要因によって決まる特定の印刷ジョブへ、湿し水をカスタマイズするのを許容するように、調整される。
【００２１】
一液型湿し水に適したトレーサーは、 
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
（出願日が２００３年７月３１日で、発明の名称が「不活性蛍光トレーサーとしてのジスルホン酸化アントラセンの使用」である、現在継続中の米国特許出願番号１０／６３１，６０６を参照する。これにより、この出願がそっくりそのまま組み込まれる。）
アントラ［９，１，２−ｃｄｅ］ベンゾ［ｒｓｔ］ペンタフェン−５，１０−ジオール，１６，１７−ジメトキシ−，ビス（硫酸水素），二ナトリウム塩、ａｋａ  Ａｎｔｈｒａｓｏｌ  Ｇｒｅｅｎ  ＩＢＡ（ＣＡＳ登録番号２５３８−８４−３）、ａｋａ  可溶性Ｖａｔ  Ｄｙｅ）、
バソフェナントロリンジスルホン酸二ナトリウム塩（ＣＡＳ登録番号５２７４６−４９−３）、
１Ｈ−ベンズ［ｄｅ］イソキノリン−５−スルホン酸，６−アミノ−２，３−ジヒドロ−２−（４−メチルフェニル）−１，３−ジオキソ−，一ナトリウム塩、ａｋａ  ブリリアントアシッドイエロー  ８Ｇ（ＣＡＳ登録番号２３９１−３０−２）、ａｋａ  Ｌｉｓｓａｍｉｎｅ  Ｙｅｌｌｏｗ  ＦＦ、アシッドイエロー  ７、
ベンゾ［ａ］フェノキサジン−７−イウム，５，９−ジアミノ−，アセテート、ａｋａ  クレジルバイオレットアセテート（ＣＡＳ登録番号１０５１０−５４−０）、
１−エチルキナルジニウムヨージド（ＣＡＳ登録番号６０６−５３−３）、
Ｋｅｙｆｌｕｏｒ  Ｗｈｉｔｅ  ＳＴ（ＣＡＳ登録番号４１９３−５５−９）、ａｋａ  Ｆｌｕ．Ｂｒｉｇｈｔ  ２８、
ベンゼンスルホン酸，２，２’−（１，２−エテンジイル）ビス［５−［［４−［ビス（２−ヒドロキシエチル）アミノ］−６−［（４−スルホフェニル）アミノ］−１，３，５―トリアジン−２−イル］アミノ］−，四ナトリウム塩、ａｋａ  Ｋｅｙｆｌｕｏｒ  Ｗｈｉｔｅ  ＣＮ（ＣＡＳ登録番号１６４７０−２４−９）、
９，９’−ビアクリジニウム，１０，１０’−ジメチル−，ジニトラート、ａｋａ  Ｌｕｃｉｇｅｎｉｎ（ＣＡＳ登録番号２３１５−９７−１、ａｋａ  硝酸ビス−Ｎ−メチルアクリジニウム）
１−デオキシ−１−（３，４−ジヒドロ−７，８−ジメチル−２，４−ジオキソベンゾ［ｇ］プテリジン−１０（２Ｈ）−イル）−Ｄ−ｒｉｂｉｔｏｌ、ａｋａ  リボフラビン又はビタミン  Ｂ２（ＣＡＳ登録番号８３−８８−５）、
２−アミノ−１−ナフタレンスルホン酸（ＣＡＳ登録番号８１−１６−３）と、
５−アミノ−２−ナフタレンスルホン酸（ＣＡＳ登録番号１１９−７９−９）と、
７−アミノ−１，３−ナフタレンスルホン酸，カリウム塩（ＣＡＳ登録番号７９８７３−３５−１）と、
５−ジメチルアミノ−１−ナフタレンスルホン酸（ＣＡＳ登録番号４２７２−７７−９）と、
１−アミノ−４−ナフタレンスルホン酸（ＣＡＳ登録番号８４−８６−６）と、
１−アミノ−７−ナフタレンスルホン酸（ＣＡＳ登録番号１１９−２８−８）と、を含みつつ、これらに限定されないモノ−、ジ−、又はトリ−スルホン酸化ナフタレン、
ベンゼンスルホン酸，２，２’−（１，２−エテンジイル）ビス［５−（４−フェニル−２Ｈ−１，２，３−トリアゾール−２−イル）−，二カリウム塩、ａｋａ  Ｐｈｏｒｗｉｔｅ  ＢＨＣ  ７６６（ＣＡＳ登録番号５２２３７−０３−３）、
ベンゼンスルホン酸，５−（２Ｈ−ナフト［１，２−ｄ］トリアゾール−２−イル）−２−（２−フェニルエテニル）−，ナトリウム塩、ａｋａ  Ｐｙｌａｋｌｏｒ  Ｗｈｉｔｅ  Ｓ−１５Ａ（ＣＡＳ登録番号６４１６−６８−８）、
１，３，６，８−ピレンテトラスルホン酸，四ナトリウム塩（ＣＡＳ登録番号５９５７２−１０−０）、
キノリン（ＣＡＳ登録番号９１−２２−５）、
キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）、
フェナジニウム，３，７−ジアミノ−２，８−ジメチル−５−フェニル−，塩化物、ａｋａ  Ｓａｆｒａｎｉｎｅ  Ｏ（ＣＡＳ登録番号４７７−７３−６）、
ベンゼンスルホン酸，２，２’−（１，２−エテンジイル）ビス［５−［［４−［（２−ヒドロキシプロピル）アミノ］−６−（フェニルアミノ）−１，３，５−トリアジン−２−イル］アミノ］−，二ナトリウム塩、ａｋａ  Ｓａｎｄｏｚ  ＴＨ−４０（ＣＡＳ登録番号３２６９４−９５−４）、
キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）、
ベンゼンスルホン酸，２，２’−（１，２−エテンジイル）ビス［５−［［４−［（アミノメチル）（２−ヒドロキシエチル）アミノ］−６−（フェニルアミノ）−１，３，５−トリアジン−２−イル］アミノ］−，二ナトリウム塩、ａｋａ  Ｔｉｎｏｐａｌ  ５ＢＭ−ＧＸ（ＣＡＳ登録番号１６９７６２−２８−１）、
ベンゼンスルホン酸，２，２’−（［１，１’−ビフェニル］−４，４’−ジイルジ−２，１−エテンジイル）ビス−，二ナトリウム塩、ａｋａ  Ｔｉｎｏｐａｌ  ＣＢＳ−Ｘ（ＣＡＳ登録番号２７３４４−４１−８）、及び
７−ベンゾチアゾールスルホン酸，２，２’−（１−トリアゼン−１，３−ジイルジ−４，１−フェニレン）ビス［６−メチル−，二ナトリウム塩、ａｋａ  チタンイエロー（ＣＡＳ登録番号１８２９−００−１、ａｋａ  チアゾールイエロー  Ｇ）、
からなる群から選択される。
【００２２】
一液型湿し水に用いられる好ましいトレーサーは、
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
アントラ［９，１，２―ｃｄｅ］ベンゾ［ｒｓｔ］ペンタフェン−５，１０−ジオール，１６，１７−ジメトキシ−，ビス（硫酸水素），二ナトリウム塩、ａｋａ  Ａｎｔｈｒａｓｏｌ  Ｇｒｅｅｎ  ＩＢＡ（ＣＡＳ登録番号２５３８−８４−３、ａｋａ  可溶性Ｖａｔ  Ｄｙｅ）、
Ｋｅｙｆｌｕｏｒ  Ｗｈｉｔｅ  ＳＴ（ＣＡＳ登録番号４１９３−５５−９、ａｋａ  Ｆｌｕ．Ｂｒｉｇｈｔ  ２８）、
ベンゼンスルホン酸，２，２’−（１，２−エテンジイル）ビス［５−［［４−［ビス（２−ヒドロキシエチル）アミノ］−６−［（４−スルホフェニル）アミノ］−１，３，５―トリアジン−２−イル］アミノ］−，四ナトリウム塩、ａｋａ  Ｋｅｙｆｌｕｏｒ  Ｗｈｉｔｅ  ＣＮ（ＣＡＳ登録番号１６４７０−２４−９）、
１−デオキシ−１−（３，４−ジヒドロ−７，８−ジメチル−２，４−ジオキソベンゾ［ｇ］プテリジン−１０（２Ｈ）−イル）−Ｄ−ｒｉｂｉｔｏｌ、ａｋａ  リボフラビン又はビタミン  Ｂ２（ＣＡＳ登録番号８３−８８−５）、
ベンゼンスルホン酸，２，２’−（１，２−エテンジイル）ビス［５−（４−フェニル−２Ｈ−１，２，３−トリアゾール−２−イル）−，二カリウム塩、ａｋａ  Ｐｈｏｒｗｉｔｅ  ＢＨＣ  ７６６（ＣＡＳ登録番号５２２３７−０３−３）、
ベンゼンスルホン酸，５−（２Ｈ−ナフト［１，２−ｄ］トリアゾール−２−イル）−２−（２−フェニルエテニル）−，ナトリウム塩、ａｋａ  Ｐｙｌａｋｌｏｒ  Ｗｈｉｔｅ  Ｓ−１５Ａ（ＣＡＳ登録番号６４１６−６８−８）、
１，３，６，８−ピレンテトラスルホン酸，四ナトリウム塩（ＣＡＳ登録番号５９５７２−１０−０）、
キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）、
フェナジニウム，３，７−ジアミノ−２，８−ジメチル−５−フェニル−，塩化物、ａｋａ  Ｓａｆｒａｎｉｎｅ  Ｏ（ＣＡＳ登録番号４７７−７３−６）、
ベンゼンスルホン酸，２，２’−（１，２−エテンジイル）ビス［５−［［４−［（２−ヒドロキシプロピル）アミノ］−６−（フェニルアミノ）−１，３，５−トリアジン−２−イル］アミノ］−，二ナトリウム塩、ａｋａ  Ｓａｎｄｏｚ  ＴＨ−４０（ＣＡＳ登録番号３２６９４−９５−４）、
キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）、
ベンゼンスルホン酸，２，２’−（１，２−エテンジイル）ビス［５−［［４−［（アミノメチル）（２−ヒドロキシエチル）アミノ］−６−（フェニルアミノ）−１，３，５−トリアジン−２−イル］アミノ］−，二ナトリウム塩、ａｋａ  Ｔｉｎｏｐａｌ  ５ＢＭ−ＧＸ（ＣＡＳ登録番号１６９７６２−２８−１）、及び
ベンゼンスルホン酸，２，２’−（［１，１’−ビフェニル］−４，４’−ジイルジ−２，１−エテンジイル）ビス−，二ナトリウム塩、ａｋａ  Ｔｉｎｏｐａｌ  ＣＢＳ−Ｘ（ＣＡＳ登録番号２７３４４−４１−８）、
からなる群から選択される。
【００２３】
一液型湿し水に用いられる最も好ましいトレーサーは、
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、及び
１，３，６，８−ピレンテトラスルホン酸，四ナトリウム塩（ＣＡＳ登録番号５９５７２−１０−０）、
からなる群から選択される。
【００２４】
巻取紙剥離剤及び一液型湿し水の両方と相性がよいトレーサーは、アントラセンジスルホン酸，二ナトリウム塩である。アントラセンジスルホン酸，二ナトリウム塩の好ましい組み合わせは、１，５−及び１，８−異性体の混合物である。
【００２５】
二液型湿し水の第一成分とともに用いて好適なトレーサーは、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
１，３，６，８−ピレンテトラスルホン酸，四ナトリウム塩（ＣＡＳ登録番号５９５７２−１０−０）、
１，５−ナフタレンジスルホン酸，二ナトリウム塩（水和物）（ＣＡＳ登録番号１６５５−２９−４）、ａｋａ  １，５−ＮＤＳＡ水和物、及び
ベンゼンスルホン酸，２，２’−（［１，１’−ビフェニル］−４，４’−ジイルジ−２，１−エテンジイル）ビス−，二ナトリウム塩、ａｋａ  Ｔｉｎｏｐａｌ  ＣＢＸ−Ｘ（ＣＡＳ登録番号２７３４４−４１−８）、
からなる群から選択される。
【００２６】
二液型湿し水の第二成分とともに用いて好適なトレーサーは、
１，５−ナフタレンジスルホン酸，二ナトリウム塩（水和物）（ＣＡＳ登録番号１６５５−２９−４）、ａｋａ  １，５−ＮＤＳＡ水和物、
キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）、
キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）、
からなる群から選択される。
【００２７】
二液型湿し水の第一成分及び二液型湿し水の第二成分の両方の探知が要求される条件で好適なトレーサーの組を、以下の表に示す。
【００２８】
【表１】
2007519545.tif 000002
この表中、
「ＡＤＳＡ」は、１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、からなる群から選択される成分であり、
「ＰＴＳＡ」は、１，３，６，８−ピレンテトラスルホン酸，四ナトリウム塩（ＣＡＳ登録番号５９５７２−１０−０）を参照し、
「ＮＤＳＡ」は、１，５−ナフタレンジスルホン酸，二ナトリウム塩（水和物）（ＣＡＳ登録番号１６５５−２９−４）、ａｋａ  １，５−ＮＤＳＡ水和物、を参照し、
「Ｔｉｎｏｐａｌ  ＣＢＳ−Ｘ」は、ベンゼンスルホン酸，２，２’−（［１，１’−ビフェニル］−４，４’−ジイルジ−２，１−エテンジイル）ビス−，二ナトリウム塩  ａｋａ  Ｔｉｎｏｐａｌ  ＣＢＳ−Ｘ（ＣＡＳ登録番号２７３４４−４１−８）を参照し、
「ローダミン  ＷＴ」は、キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）を参照し、
「スルホローダミン  Ｂ」は、  キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）を参照する。
【００２９】
巻取紙剥離剤とともに用いて好適なトレーサーは、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、
ベンゼンスルホン酸，２，２’−（１，２−エテンジイル）ビス［５−［［４−ビス（２−ヒドロキシエチル）アミノ］−６−［（４−スルホフェニル）アミノ］−１，３，５−トリアジン−２−イル］アミノ］−，四ナトリウム塩、ａｋａ  Ｓａｎｄｏｚ  ＣＤ（ＣＡＳ登録番号１６４７０−２４−９）、ａｋａ  Ｆｌｕ．Ｂｒｉｇｈｔ．２２０、と、
ベンゼンスルホン酸，２，２’−（１，２−エテンジイル）ビス［５−［［４−ビス（２−ヒドロキシプロピル）アミノ］−６−（フェニルアミノ）−１，３，５−トリアジン−２−イル］アミノ］−，二ナトリウム塩、（ＣＡＳ登録番号３２６９４−９５−４）、ａｋａ  Ｓａｎｄｏｚ  ＴＨ−４０、と、
ベンゼンスルホン酸，２，２’−（１，２−エテンジイル）ビス［５−［［４−（アミノメチル）（２−ヒドロキシエチル）アミノ］−６−（フェニルアミノ）−１，３，５−トリアジン−２−イル］アミノ］−，二ナトリウム塩、（ＣＡＳ登録番号１６９７６２−２８−１）、ａｋａ  Ｔｉｎｏｐａｌ  ５ＢＭ−ＧＸ、と、
を含みつつ、これらに限定されない硫酸化アミノ−スチルベン蛍光増白剤及びその塩、
４’，４’−ビ［スチルベン−２，２’’’−ジスルホン酸］二ナトリウム塩（ＣＡＳ登録番号２７３４４−４１−８）、ａｋａ  Ｔｉｎｏｐａｌ  ＣＢＳ、
を含みつつ、これらに限定されない硫酸化ビ−スチルベン蛍光増白剤及びその塩、
４−メチル−７−（ジエチルアミノ）−４−メチルクマリン（ＣＡＳ登録番号９１−４４−１）、ａｋａ  蛍光増白剤  ５２、を含みつつ、これらに限定されないアルキルアミノ−クマリン蛍光増白剤及びその塩、
からなる群から選択される。
【００３０】
巻取紙剥離剤とともに用いて好ましいトレーサーは、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、
ベンゼンスルホン酸，２，２’−（１，２−エテンジイル）ビス［５−［［４−ビス（２−ヒドロキシエチル）アミノ］−６−［（４−スルホフェニル）アミノ］−１，３，５−トリアジン−２−イル］アミノ］−，四ナトリウム塩、ａｋａ  Ｓａｎｄｏｚ  ＣＤ（ＣＡＳ登録番号１６４７０−２４−９）、ａｋａ  Ｆｌｕ．Ｂｒｉｇｈｔ．２２０、と、
ベンゼンスルホン酸，２，２’−（１，２−エテンジイル）ビス［５−［［４−ビス（２−ヒドロキシプロピル）アミノ］−６−（フェニルアミノ）−１，３，５−トリアジン−２−イル］アミノ］−，二ナトリウム塩、（ＣＡＳ登録番号３２６９４−９５−４）、ａｋａ  Ｓａｎｄｏｚ  ＴＨ−４０、と、
ベンゼンスルホン酸，２，２’−（１，２−エテンジイル）ビス［５−［［４−（アミノメチル）（２−ヒドロキシエチル）アミノ］−６−（フェニルアミノ）−１，３，５−トリアジン−２−イル］アミノ］−，二ナトリウム塩、（ＣＡＳ登録番号１６９７６２−２８−１）、ａｋａ  Ｔｉｎｏｐａｌ  ５ＢＭ−ＧＸ、と、
ベンゼンスルホン酸，５−（２Ｈ−ナフト［１，２−ｄ］トリアゾール−２−イル）−２−（２−フェニルエテニル）−，ナトリウム塩、（ＣＡＳ登録番号６４１６−６８−８）、ａｋａ  Ｔｉｎｏｐａｌ  ＲＢＳ  ２００、と、
を含みつつ、これらに限定されない硫酸化アミノ−スチルベン蛍光増白剤及びその塩、
からなる群から選択される。
【００３１】
巻取紙剥離剤とともに用いて最も好ましいトレーサーは、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、
からなる群から選択される。
【００３２】
上記に列挙された蛍光トレーサーは、さまざまな異なる化学薬品供給会社から商業的に入手可能であり、あるいは、合成有機化学における当業者が知り得る技術を用いて合成することもできる。
【００３３】
一液型湿し水中に一般的に存在するトレーサーの量は、約０．０１ｐｐｍから約１０，０００ｐｐｍであり、好ましくは約０．０５ｐｐｍから約１０ｐｐｍで、最も好ましくは約０．１ｐｐｍから約１．０ｐｐｍである。
【００３４】
二液型湿し水の第一成分中に一般的に存在するトレーサーの量は、約０．０１ｐｐｍから約１０，０００ｐｐｍであり、好ましくは約０．０５ｐｐｍから約１０ｐｐｍで、最も好ましくは約０．１ｐｐｍから約１．０ｐｐｍである。二液型湿し水の第二成分中に一般的に存在するトレーサーの量は、約０．０１ｐｐｍから約１０，０００ｐｐｍであり、好ましくは約０．０５ｐｐｍから約１０ｐｐｍで、最も好ましくは約０．１ｐｐｍから約１．０ｐｐｍである。
【００３５】
巻取紙剥離剤中に一般的に存在するトレーサーの量は、約０．０１ｐｐｍから約１０，０００ｐｐｍであり、好ましくは約０．０５ｐｐｍから約１０ｐｐｍで、最も好ましくは約０．１ｐｐｍから約１．０ｐｐｍである。
【００３６】
湿し水中のトレーサーを探知するのに好適な蛍光光度計は、商業的に入手可能であり、
ＴＲＡＳＡＲ８０００蛍光光度計（携帯型）；ＴＲＡＳＡＲ７００蛍光光度計（卓上型）；ＴＲＡＳＡＲ３０００（１，３，６，８−ピレンテトラスルホン酸，四ナトリウム塩、並びに、励起及び発光波長が類似であるその他の蛍光化合物用）；改良型ＴＲＡＳＡＲ３０００（アントラセンジスルホン酸，二ナトリウム塩、並びに、励起及び発光波長が類似であるその他の蛍光化合物用）；及びＴＲＡＳＡＲ  Ｘｅ−２  コントローラ、からなる群から選択される。これらはすべて、Ｎａｌｃｏから入手可能である。Ｃｙｃｌｏｐｓ７蛍光光度計として知られる直列蛍光光度計プローブ（使用されるトレーサーと適合させるために光ファイバーが選択される必要がある。）は、Ｔｕｒｎｅｒ  Ｄｅｓｉｇｎｓ，８４５  Ｍａｕｄｅ  Ａｖｅ．，Ｓｕｎｎｙｖａｌｅ，ＣＡ  ９４０８５（（４０８）７４９−０９９４）から入手できる。これらの蛍光光度計を利用する際には、トレーサーの蛍光信号特性と適合させるために、励起・発光型光ファイバーが選択される必要がある。
【００３７】
巻取紙剥離剤中でトレーサーを探知するために使用するのに好適な蛍光光度計は、商業的に入手可能であり、ＴＲＡＳＡＲ７００蛍光光度計（卓上型）；ＴＲＡＳＡＲ３０００（１，３，６，８−ピレンテトラスルホン酸，四ナトリウム塩、並びに、励起及び発光波長が類似であるその他の蛍光化合物用）；改良型ＴＲＡＳＡＲ３０００（アントラセンジスルホン酸，二ナトリウム塩、並びに、励起及び発光波長が類似であるその他の蛍光化合物用）、からなる群から選択される。これらの蛍光光度計を利用する際には、トレーサーの蛍光信号特性と適合させるために、励起・発光型光ファイバーが選択される必要がある。
【００３８】
蛍光光度計を配置すべき実践的な場所は、関連のあるそれぞれの印画工程流体用の希釈タンク中の物質のサンプルを検査することができるようなところである。実際、湿し水と巻取紙剥離剤の両方は、タンク内で希釈されており、それゆえに、希釈タンクからサンプリングするための蛍光光度計の配置は、両方の流体に適用される。
【００３９】
本発明の方法が実践される印画工程において、標準的な設備は、一般的に、ポンプ及び加圧式ラインを用いて印刷流体を印刷機に供給するようなものである。無作為抽出サンプル蛍光法において、蛍光光度計用の印刷流体のサンプルは、この加圧式ラインから除去されることもあり得る。無作為抽出サンプル蛍光法において、Ｔｒａｓａｒ７００蛍光光度計及びＴｒａｓａｒ８０００蛍光光度計はフローセルを有していないが、むしろ無作為抽出サンプル技術を用いて得られる離散量において供給されるときの一の離散サンプルを測定する。
【００４０】
パイプ接続に割り当てられるフローセル蛍光法において、関連のある印刷流体のサンプルが、加圧式パイプラインから蛍光光度計を通じて循環するように、任意のポンプが追加されてもよい。フローセル蛍光法において、Ｔｒａｓａｒ  Ｘｅ−コントローラ及びＴｒａｓａｒ３０００蛍光光度計は、液体のオンライン連続監視を許容するフローセルを有している。
【００４１】
印刷流体を印刷機へ利用するための制御システムによっては、加圧式印刷流体ラインと接触するときに生じることがある圧力損失又は吸い上げ管による吸い上げのような、いかなる悪い結果をも回避するために、関連のある多色印刷流体を蛍光光度計に循環させるための個々のポンプの取り付けが、好ましい設備となることがある。蛍光光度計を通じた循環の後、印刷流体は希釈タンクへ戻され、これにより印刷流体の無駄がなくなる。このタイプの設備では、再利用される蛍光光度計のサンプル蒸気の量のために、蛍光光度計は、希釈タンクと近接近して配置されていることが最も好ましい。蛍光光度計を希釈タンクへ近接近して配置することは、恐らく印画工程の運転者にとって最も都合がよいであろう。
【００４２】
制御工程の情報構成要素は長距離を電子的に送信されるため、蛍光光度計の位置は、サンプリングの検討によって最も強力に影響される。本発明に用いて好適なすべてのフローセル蛍光光度計では、蛍光光度計からの信号が、４−２０ｍＡ出力によって必要に応じて離れた場所へ容易に送信できる。また、制御装置を利用することも可能であり、ここでもまた、希釈タンク中の多色印刷流体の量の設定値が遠隔制御できる。設定値の遠隔調整は、標準的な特性を有する商業的に入手可能な蛍光光度計には必ずしも必要ない。しかし、遠隔調整は、補助のプログラマブル・ロジック・コントローラを用いて容易に行うことができ、それ自体は商業的に入手可能である。
【００４３】
本発明に用いて好適な、すべての非フローセル不連続無作為抽出サンプル蛍光光度計において、蛍光光度計からの信号は、制御装置内での使用のために、コントローラに相互に入力される。
【００４４】
以下、実施例を示しながら本発明を具体的に説明し、また、本発明の一般的な製造方法及び使用方法を開示する。本発明又はその保護対象は、いかなる場合にもこれらの実施例に制限されるものではない。
【実施例】
【００４５】
（実施例１）一液型湿し水の探知方法
Ｃｉｎｔｒａ社はエライナ川河畔に位置する一都市に日刊新聞を印刷供給している。このＣｉｎｔｒａ社は４色オフセット印刷機を用いて、出版物を新聞印刷用紙に印刷している。その印刷機には、湿し水が用いられている。その湿し水は、印刷機上で用いるために、市販の湿し水調合乳（「ＰＦＳＦ」）を市の水で希釈することによって調整されている。
【００４６】
市の水の水源は、エライナ川である。「ＰＦＳＦ」とは、Ｒｙｃｏｌｉｎｅ  Ｐｒｏｄｕｃｔｓ  Ｉｎｃ．から購入したＢＰＣ  Ｅｔｃｈ  ＨＷ，２６４７２４−３３０Ｐである。このＰＦＳＦは、印刷機上で使用される前に、５オンス／ガロン（３．９％）まで希釈される。ＰＦＳＦの希釈システムは、タンクと、ＰＦＳＦ用ポンプと、機械的混合機と、伝導度コントローラと、を具備している。タンクは、レベル制御装置を備えている。このレベル制御装置は、タンク内のレベル（水位）を感知したり、市の水をタンクに入れるためのバルブを開閉したり、タンク内のレベル（水位）を一定に保ったりしている。混合機は、タンクの中身が均一な溶液となるように、絶えず撹拌している。
【００４７】
伝導度コントローラは、タンク内の希釈溶液の伝導度を測定し、それが下部管理限界を下回ったときには、ＰＦＳＦポンプの栓を開く。伝導度コントローラは、その後、溶液の伝導度が上部管理限界に到達したとき、ＰＦＳＦポンプを閉じる。印刷機から再利用されるいくらかの希釈湿し水もまた、この混合タンクに戻される。自動希釈システムの使用の目的は、一定で且つ制御された希釈下で、ＰＦＳＦ印刷流体の連続供給を行うことである。
【００４８】
新聞発行の印刷の最終段階では、印刷品質は最適である。そして、エライナ川の流域に激しい雨が降り始める。印刷機は、次の新聞発行の製作中に印刷品質の問題に遭遇する。問題は、ＰＦＳＦの不適切な希釈であることが分かる。この問題の根源は、市の水質の変化である。
【００４９】
激しい雨は、エライナ川の水位を上昇させ、その水の伝導度及び市の給水の伝導度を順々に顕著に低下させる。自動希釈システムは、さらなるＰＦＳＦを希釈タンクに添加することによって、市の水の伝導度の低下を補う。その結果、設定値における溶液の伝導度の総計は維持される。ＰＦＳＦ添加の増加により、所望の濃度よりもより高濃度の湿し水ができる。ＰＦＳＦの不適切な希釈は、印刷品質の問題を引き起こす。
【００５０】
この伝導度制御式自動希釈システムの失敗に対応して、Ｃｉｎｔｒａ社は本発明を成した。蛍光トレーサーとして機能させるために、１，５−アントラセンジスルホン酸二ナトリウム塩と１，８−アントラセンジスルホン酸二ナトリウム塩を、２：１の混合比の２０ｐｐｍで、ＰＦＳＦに添加する。
【００５１】
ＰＦＳＦの希釈システムは、伝導度コントローラの除去によって改良されている。ＰＦＳＦポンプのオン／オフ・スイッチは、現在、ＴＲＡＳＡＲ３０００蛍光光度計によって制御されている。この蛍光光度計は、アントラセンジスルホン酸蛍光トレーサーに対する最高感度を得るために、４３０ＡＦ３０発光フィルタを用いて改良されている。
【００５２】
ＰＦＳＦ希釈タンクからのサンプルは、蛍光光度計の光学セルを通じて絶えず再循環されており、希釈タンクに戻る。蛍光光度計は、蛍光トレーサーからの蛍光信号を探知し、トレーサーの標準的希釈又は探知された印刷流体の標準的希釈で行われる較正に基づいて、その蛍光信号を濃度測定値に変換する。
【００５３】
所望の５オンス／ガロン（３．９％）希釈ＰＦＳＦにおいて、０．７８ｐｐｍアントラセンジスルホン酸二ナトリウム塩に相当する設定値が用いられる。
【００５４】
＋／−０．０５ｐｐｍ（＋／−０．３２オンス／ガロン）制御範囲の使用とは、ＰＦＳＦポンプが、濃度０．７３ｐｐｍでアントラセンジスルホン酸二ナトリウム塩として活性化され、また、希釈タンク中のアントラセンジスルホン酸二ナトリウム塩の濃度が０．８３ｐｐｍに到達するときに、そのポンプが、不活性化される状態のことをいう。
【００５５】
蛍光光度計によって決定されたＰＦＳＦの濃度が下部管理限界を下回るとき、追加のＰＦＳＦを希釈タンクへ添加するための継電器の作動によって、蛍光光度計がＰＦＳＦ注入ポンプの栓を開く。ＰＦＳＦの濃度が上部管理限界に到達するとき、蛍光光度計は、ＰＦＳＦポンプを閉じる。
【００５６】
トレーサーの蛍光信号が市の水質から完全に独立しているため、市の給水の変化にかかわらず、蛍光コントローラはＰＦＳＦを絶え間なく希釈する。印刷流体の希釈は、印画工程におけるばらつきの原因として除去され、印刷品質は、印刷機を配置した印刷装置によって、より一貫して容易に最適化される。
【００５７】
（実施例２）巻取紙剥離剤の探知方法
Ｌｏｒｉｋａ社は、４色オフセット印刷機を用いて雑誌を印刷している。その印刷機は、湿し水と巻取紙剥離剤とを用いている。湿し水と巻取紙剥離剤の両方は、印刷機上で使用するために、ＰＦＳＦ及びＰＷＲＡ調合乳を水で希釈することによって調整されている。市の給水は、ＥＥＢ湖からの処理水でまかなわれている。
【００５８】
ＰＦＳＦは、Ｒｙｃｏｌｉｎｅ  Ｐｒｏｄｕｃｔｓ  Ｉｎｃ．から購入したＢＰＣ  Ｅｔｃｈ  ＨＷ，２６４７２４−３３０Ｐであり、上記の実施例で述べたように、本発明で使用するために希釈される。
【００５９】
ＰＷＲＡ調合乳はＩＣＭ  １７４１であり、ＩＣＭから入手可能である。ＰＷＲＡは、印刷機上で使用される前に、５％まで希釈される。従来のＰＷＲＡの希釈システムは、排出ポンプと、混合タンクと、機械的混合機と、を具備している。タンクは、レベル制御装置を備えている。このレベル制御装置は、タンク内のレベル（水位）を感知したり、市の水をタンクに入れるためのバルブを開閉したり、タンク内のレベル（水位）を一定に保ったりしている。混合機は、タンクの中身が均一な溶液となるように、絶えず撹拌している。市の水は、タンクに入る前に排出ポンプを流れ、ＰＷＲＡをその流れへ誘引する。混合機は、タンクの中身が均一な溶液となるように、絶えず撹拌している。印刷機から再利用される希釈された巻取紙剥離剤もまた、この混合タンクに戻される。
【００６０】
排出ポンプ希釈システム使用の目的は、一定希釈下での巻取紙剥離剤の連続供給を行うことである。しかしながら、排出ポンプは高精度な装置ではなく、その装置から生じる希釈率は、市の水圧、ＰＷＲＡの粘度、流体温度、及び排出ポンプのチューブの付着物のような要因に依存している。排出ポンプによって提供される希釈率は、容易に調整したり又は自動制御に対して敏感に反応させたりできない。したがって、ＰＷＲＡの濃度のいかなる調整も、希釈タンクへＰＷＲＡを手動で添加することにより行う。これらの要因の結果、巻取紙剥離剤は、希釈タンク内での必要濃度よりも一般的に高濃度となる。そして、ＰＷＲＡは高コスト特殊化学物質であるため、この状態は不経済である。
【００６１】
ＰＷＲＡ希釈のよりよい制御方法を得て、ＰＷＲＡの使用量及びコストを最小化するために、Ｌｏｒｉｋａ社は本発明の方法を成した。
【００６２】
蛍光トレーサーとして機能させるために、１，５−アントラセンジスルホン酸二ナトリウム塩と１，８−アントラセンジスルホン酸二ナトリウム塩を、２：１の混合比の１００ｐｐｍで、ＰＷＲＡに添加する。ＰＷＲＡの希釈システムは、排出ポンプを除去し、ＰＷＲＡを混合タンクへ注入する電気ポンプに置き換えることによって改良されている。
【００６３】
ＰＷＲＡポンプは、ＴＲＡＳＡＲ３０００蛍光光度計によって制御されている。この蛍光光度計は、アントラセンジスルホン酸蛍光トレーサーに対する最高感度を得るために、４３０ＡＦ３０発光フィルタを用いて改良されている。ＰＦＳＦ希釈タンクからのサンプルは、蛍光光度計の光学セルを通じて絶えず再循環されており、希釈タンクに戻る。蛍光光度計は、蛍光トレーサーからの蛍光信号を探知し、探知された印刷流体の標準的希釈で行われる較正に基づいて、その蛍光信号を濃度測定値に変換する。
【００６４】
±０．０５ｐｐｍの制御範囲とは、ＰＷＲＡポンプが濃度４．９５ｐｐｍアントラセンジスルホン酸二ナトリウム塩のとき活性化され、濃度５．０５ｐｐｍアントラセンジスルホン酸二ナトリウム塩のとき探知されることを意味する。
【００６５】
蛍光光度計によって決定されたＰＷＲＡの濃度が下部管理限界を下回るとき、追加のＰＷＲＡを希釈タンクへ添加するための継電器の作動によって、ＰＷＲＡ注入ポンプを開栓するために、蛍光光度計が信号を送信する。ＰＦＳＦの濃度が上部管理限界に到達するとき、蛍光光度計は、ＰＷＲＡポンプを閉じる。５ｐｐｍのアントラセンジスルホン酸二ナトリウム塩に対応する設定値の使用により、ＰＷＲＡに対し適正な５％希釈が提供される。
【００６６】
本発明の方法の使用は、連続的で確実なＰＷＲＡの希釈制御を提供する。希釈について変更が必要なときは、単に蛍光光度計又はコントローラの設定値を変更するだけで、迅速に、且つ、容易に変更することができる。確実な制御によって、印刷装置において、システム内で用いられるＰＷＲＡ濃度を最適化し、この特殊化学物質のコストを最小化することが可能となる。ＰＷＲＡの希釈は、印画工程におけるばらつきの原因として除去され、印刷品質は、印刷機を配置した印刷装置によって、より一貫して容易に最適化される。
【００６７】
本発明の方法について、その一例を用いて説明したが、上記明細書の開示に照らして、多くの修正及び変更が可能である。それゆえに、添付の特許請求の範囲内で、別段の記載がある場合を除き、本発明は実施されてもよいものとして、理解されなければならない。
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
（１）一又は二以上の多色印刷流体が用いられる印画工程であって、前記多色印刷流体が、湿し水及び巻取紙剥離剤からなる群から選択される、印画工程を提供する工程と、
（２）関連する各多色印刷流体に対する蛍光分析によって探知可能であるトレーサー物質を提供する工程であって、関連する各多色印刷流体へ添加される各トレーサー物質は探知可能な蛍光信号を有している工程と、
（３）関連する多色印刷流体内で用いられる各トレーサー物質の蛍光信号を探知可能な、一又は二以上の蛍光光度計を提供する工程と、
（４）前記一又は二以上の蛍光光度計を、紙面上の多色印刷流体を測定するための場所が選択できない場合以外は、関連する多色印刷流体の有無の探知が要求される印画工程内のいずれかに配置する工程と、
（５）印画工程内における一又は二以上の配置場所で、前記トレーサー物質の蛍光信号を探知し、測定するために、前記一又は二以上の蛍光光度計を使用する工程と、
（６）印画工程内の選択された場所において、どれだけの量の各多色印刷流体が存在するかを測定するために、探知され、測定された前記トレーサー物質の蛍光信号を使用する工程と、
を具備する多色印刷流体の透写方法。
【請求項２】
（１）一又は二以上の多色印刷流体が用いられる印画工程であって、前記多色印刷流体が、湿し水及び巻取紙剥離剤からなる群から選択される、印画工程を提供する工程と、
（２）関連する各多色印刷流体に対する蛍光分析によって探知可能であるトレーサー物質を提供する工程であって、関連する各多色印刷流体へ添加される各トレーサー物質は探知可能な蛍光信号を有している工程と、
（３）関連する多色印刷流体内で用いられる各トレーサー物質の蛍光信号を探知可能な、一又は二以上の蛍光光度計を提供する工程と、
（４）前記一又は二以上の蛍光光度計を、紙面上の多色印刷流体を測定するための場所が選択できない場合以外は、関連する多色印刷流体の有無の探知が要求される印画工程内のいずれかに配置する工程と、
（５）印画工程内における一又は二以上の配置場所で、前記トレーサー物質の蛍光信号を探知し、測定するために、前記一又は二以上の蛍光光度計を使用する工程と、
（６）印画工程内の選択された場所において、どれだけの量の各多色印刷流体が存在するかを測定するために、探知され、測定された前記トレーサー物質の蛍光信号を使用する工程と、
（７）存在する多色印刷流体の量が関連のある場所で最適化されるように、前記印画工程の運転パラメータを調整する工程と、
を具備する多色印刷流体の透写方法。
【請求項３】
前記多色印刷流体は一液型湿し水である、請求項１又は２に記載の方法。
【請求項４】
前記多色印刷流体は二液型湿し水である、請求項１又は２に記載の方法。
【請求項５】
前記多色印刷流体は巻取紙剥離剤である、請求項１又は２に記載の方法。
【請求項６】
前記トレーサーが、
２−アントラセンスルホン酸ナトリウム塩（ＣＡＳ登録番号１６１０６−４０−４）、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
アントラ［９，１，２−ｃｄｅ］ベンゾ［ｒｓｔ］ペンタフェン−５，１０−ジオール，１６，１７−ジメトキシ−，ビス（硫酸水素），二ナトリウム塩、ａｋａ  Ａｎｔｈｒａｓｏｌ  Ｇｒｅｅｎ  ＩＢＡ（ＣＡＳ登録番号２５３８−８４−３）、ａｋａ  可溶性Ｖａｔ  Ｄｙｅ）、
バソフェナントロリンジスルホン酸二ナトリウム塩（ＣＡＳ登録番号５２７４６−４９−３）、
１Ｈ−ベンズ［ｄｅ］イソキノリン−５−スルホン酸，６−アミノ−２，３−ジヒドロ−２−（４−メチルフェニル）−１，３−ジオキソ−，一ナトリウム塩、ａｋａ  ブリリアントアシッドイエロー  ８Ｇ（ＣＡＳ登録番号２３９１−３０−２）、ａｋａ  Ｌｉｓｓａｍｉｎｅ  Ｙｅｌｌｏｗ  ＦＦ、アシッドイエロー  ７、
ベンゾ［ａ］フェノキサジン−７−イウム，５，９−ジアミノ−，アセテート、ａｋａ  クレジルバイオレットアセテート（ＣＡＳ登録番号１０５１０−５４−０）、
１−エチルキナルジニウムヨージド（ＣＡＳ登録番号６０６−５３−３）、
Ｋｅｙｆｌｕｏｒ  Ｗｈｉｔｅ  ＳＴ（ＣＡＳ登録番号４１９３−５５−９）、ａｋａ  Ｆｌｕ．Ｂｒｉｇｈｔ  ２８、
ベンゼンスルホン酸，２，２’−（１，２−エテンジイル）ビス［５−［［４−［ビス（２−ヒドロキシエチル）アミノ］−６−［（４−スルホフェニル）アミノ］−１，３，５―トリアジン−２−イル］アミノ］−，四ナトリウム塩、ａｋａ  Ｋｅｙｆｌｕｏｒ  Ｗｈｉｔｅ  ＣＮ（ＣＡＳ登録番号１６４７０−２４−９）、
９，９’−ビアクリジニウム，１０，１０’−ジメチル−，ジニトラート、ａｋａ  Ｌｕｃｉｇｅｎｉｎ（ＣＡＳ登録番号２３１５−９７−１、ａｋａ  硝酸ビス−Ｎ−メチルアクリジニウム）
１−デオキシ−１−（３，４−ジヒドロ−７，８−ジメチル−２，４−ジオキソベンゾ［ｇ］プテリジン−１０（２Ｈ）−イル）−Ｄ−ｒｉｂｉｔｏｌ、ａｋａ  リボフラビン又はビタミン  Ｂ２（ＣＡＳ登録番号８３−８８−５）、
２−アミノ−１−ナフタレンスルホン酸（ＣＡＳ登録番号８１−１６−３）、
５−アミノ−２−ナフタレンスルホン酸（ＣＡＳ登録番号１１９−７９−９）、
７−アミノ−１，３−ナフタレンスルホン酸，カリウム塩（ＣＡＳ登録番号７９８７３−３５−１）、
５−ジメチルアミノ−１−ナフタレンスルホン酸（ＣＡＳ登録番号４２７２−７７−９）、
１−アミノ−４−ナフタレンスルホン酸（ＣＡＳ登録番号８４−８６−６）、
１−アミノ−７−ナフタレンスルホン酸（ＣＡＳ登録番号１１９−２８−８）、
ベンゼンスルホン酸，２，２’−（１，２−エテンジイル）ビス［５−（４−フェニル−２Ｈ−１，２，３−トリアゾール−２−イル）−，二カリウム塩、ａｋａ  Ｐｈｏｒｗｉｔｅ  ＢＨＣ  ７６６（ＣＡＳ登録番号５２２３７−０３−３）、
ベンゼンスルホン酸，５−（２Ｈ−ナフト［１，２−ｄ］トリアゾール−２−イル）−２−（２−フェニルエテニル）−，ナトリウム塩、ａｋａ  Ｐｙｌａｋｌｏｒ  Ｗｈｉｔｅ  Ｓ−１５Ａ（ＣＡＳ登録番号６４１６−６８−８）、
１，３，６，８−ピレンテトラスルホン酸，四ナトリウム塩（ＣＡＳ登録番号５９５７２−１０−０）、
キノリン（ＣＡＳ登録番号９１−２２−５）、
キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）、
フェナジニウム，３，７−ジアミノ−２，８−ジメチル−５−フェニル−，塩化物、ａｋａ  Ｓａｆｒａｎｉｎｅ  Ｏ（ＣＡＳ登録番号４７７−７３−６）、
ベンゼンスルホン酸，２，２’−（１，２−エテンジイル）ビス［５−［［４−［（２−ヒドロキシプロピル）アミノ］−６−（フェニルアミノ）−１，３，５−トリアジン−２−イル］アミノ］−，二ナトリウム塩、ａｋａ  Ｓａｎｄｏｚ  ＴＨ−４０（ＣＡＳ登録番号３２６９４−９５−４）、
キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）、
ベンゼンスルホン酸，２，２’−（１，２−エテンジイル）ビス［５−［［４−［（アミノメチル）（２−ヒドロキシエチル）アミノ］−６−（フェニルアミノ）−１，３，５−トリアジン−２−イル］アミノ］−，二ナトリウム塩、ａｋａ  Ｔｉｎｏｐａｌ  ５ＢＭ−ＧＸ（ＣＡＳ登録番号１６９７６２−２８−１）、
ベンゼンスルホン酸，２，２’−（［１，１’−ビフェニル］−４，４’−ジイルジ−２，１−エテンジイル）ビス−，二ナトリウム塩、ａｋａ  Ｔｉｎｏｐａｌ  ＣＢＳ−Ｘ（ＣＡＳ登録番号２７３４４−４１−８）、及び
７−ベンゾチアゾールスルホン酸，２，２’−（１−トリアゼン−１，３−ジイルジ−４，１−フェニレン）ビス［６−メチル−，二ナトリウム塩、ａｋａ  チタンイエロー（ＣＡＳ登録番号１８２９−００−１、ａｋａ  チアゾールイエロー  Ｇ）、
からなる群から選択される、請求項３に記載の方法。
【請求項７】
前記多色印刷流体は、一液型湿し水及び巻取紙剥離剤の組み合わせであって、これらの両方が透写され、同一のトレーサーが両方の印刷流体に用いられ、そのトレーサーは、アントラセンジスルホン酸，二ナトリウム塩の１，５−及び１，８−異性体である、請求項１に記載の方法。
【請求項８】
前記多色印刷流体は、一液型湿し水及び巻取紙剥離剤の組み合わせであって、これらの両方が透写され、異なるトレーサーがそれぞれの印刷流体に用いられる、請求項１に記載の方法。
【請求項９】
前記多色印刷流体は、二液型湿し水及び巻取紙剥離剤の組み合わせであって、これらの両方が透写され、一方のトレーサーは二液型湿し水の第１部分で用いられ、他方のトレーサーは二液型湿し水の第２部分で用いられ、第三の異なるトレーサーは巻取紙剥離剤中で用いられる、請求項１に記載の方法。
【請求項１０】
前記トレーサーは、
１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、
ベンゼンスルホン酸，２，２’−（１，２−エテンジイル）ビス［５−［［４−ビス（２−ヒドロキシエチル）アミノ］−６−［（４−スルホフェニル）アミノ］−１，３，５−トリアジン−２−イル］アミノ］−，四ナトリウム塩、ａｋａ  Ｓａｎｄｏｚ  ＣＤ（ＣＡＳ登録番号１６４７０−２４−９）、ａｋａ  Ｆｌｕ．Ｂｒｉｇｈｔ．２２０、と、
ベンゼンスルホン酸，２，２’−（１，２−エテンジイル）ビス［５−［［４−ビス（２−ヒドロキシプロピル）アミノ］−６−（フェニルアミノ）−１，３，５−トリアジン−２−イル］アミノ］−，二ナトリウム塩、（ＣＡＳ登録番号３２６９４−９５−４）、ａｋａ  Ｓａｎｄｏｚ  ＴＨ−４０、と、
ベンゼンスルホン酸，２，２’−（１，２−エテンジイル）ビス［５−［［４−（アミノメチル）（２−ヒドロキシエチル）アミノ］−６−（フェニルアミノ）−１，３，５−トリアジン−２−イル］アミノ］−，二ナトリウム塩、（ＣＡＳ登録番号１６９７６２−２８−１）、ａｋａ  Ｔｉｎｏｐａｌ  ５ＢＭ−ＧＸ、と、
を含みつつ、これらに限定されない硫酸化アミノ−スチルベン蛍光増白剤及びその塩、
４’，４’−ビ［スチルベン−２，２’’’−ジスルホン酸］二ナトリウム塩（ＣＡＳ登録番号２７３４４−４１−８）、ａｋａ  Ｔｉｎｏｐａｌ  ＣＢＳ、
を含みつつ、これらに限定されない硫酸化ビ−スチルベン蛍光増白剤及びその塩、
４−メチル−７−（ジエチルアミノ）−４−メチルクマリン（ＣＡＳ登録番号９１−４４−１）、ａｋａ  蛍光増白剤  ５２、を含みつつ、これらに限定されないアルキルアミノ−クマリン蛍光増白剤及びその塩、
からなる群から選択される、請求項５に記載の方法。
【請求項１１】
前記多色印刷流体が二液型湿し水であって、
一のトレーサーが二液型湿し水の第一成分を透写するために用いられ、異なる蛍光信号が付されている一のトレーサーが二液型湿し水の第二成分を透写するために用いられる、請求項１に記載の方法。
【請求項１２】
前記二液型湿し水の第一成分と第二成分のそれぞれに用いられるトレーサーの組み合わせは、（１）ＡＤＳＡ及びＮＤＳＡ、（２）ＰＴＳＡ及びＮＤＳＡ、（３）ＡＤＳＡ及びローダミン  ＷＴ、（４）Ｔｉｎｏｐａｌ  ＣＢＳ−Ｘ及びスルホローダミン  Ｂ、 のうちのいずれかであって、
「ＡＤＳＡ」は、１，５−アントラセンジスルホン酸（ＣＡＳ登録番号６１７３６−９１−２）及びその塩、
２，６−アントラセンジスルホン酸（ＣＡＳ登録番号６１７３６−９５−６）及びその塩、
１，８−アントラセンジスルホン酸（ＣＡＳ登録番号６１７３６−９２−３）及びその塩、
及びこれらの混合物、からなる群から選択される化合物であり、
「ＰＴＳＡ」は、１，３，６，８−ピレンテトラスルホン酸，四ナトリウム塩（ＣＡＳ登録番号５９５７２−１０−０）を参照し、
「ＮＤＳＡ」は、１，５−ナフタレンジスルホン酸，二ナトリウム塩（水和物）（ＣＡＳ登録番号１６５５−２９−４）、ａｋａ  １，５−ＮＤＳＡ水和物、を参照し、
「Ｔｉｎｏｐａｌ  ＣＢＳ−Ｘ」は、ベンゼンスルホン酸，２，２’−（［１，１’−ビフェニル］−４，４’−ジイルジ−２，１−エテンジイル）ビス−，二ナトリウム塩  ａｋａ  Ｔｉｎｏｐａｌ  ＣＢＳ−Ｘ（ＣＡＳ登録番号２７３４４−４１−８）を参照し、
「ローダミン  ＷＴ」は、キサンチリウム，９−（２，４−ジカルボキシフェニル）−３，６−ビス（ジエチルアミノ）−，塩化物，二ナトリウム塩、ａｋａ  ローダミン  ＷＴ（ＣＡＳ登録番号３７２９９−８６−８）を参照し、
「スルホローダミン  Ｂ」は、  キサンチリウム，３，６−ビス（ジエチルアミノ）−９−（２，４−ジスルホフェニル）−，ナトリウム塩、ａｋａ  スルホローダミン  Ｂ（ＣＡＳ登録番号３５２０−４２−１、ａｋａ  アシッドレッド  ５２）を参照する、
請求項１１に記載の方法。
【国際調査報告】
2007519545.tif 000004